(57)【要約】【課題】信頼性の低下、レイアウト面積の増大及び高コスト化を防ぎ、低消費電力で交流駆動を実現できる駆動装置、電気光学装置、電子機器及び駆動方法を提供する。【解決手段】電気光学装置を駆動するための駆動装置６００は、データ線を駆動するデータ線駆動回路５２０と、電気光学物質の印加電圧の極性に応じて対向電極ＶＣＯＭに電圧を供給する対向電極電圧供給回路５６０と、対向電極ＶＣＯＭとデータ線とを接続する短絡回路ＳＨＴ１〜ＳＨＴＮと、設定電圧ＶＳＥＴを対向電極ＶＣＯＭに供給する電圧設定回路５６２とを含む。極性を正から負に切り替えるとき、一旦、設定電圧ＶＳＥＴを対向電極ＶＣＯＭに供給した後に、対向電極ＶＣＯＭとデータ線とを電気的に接続する。その後、対向電極ＶＣＯＭとデータ線とを電気的に遮断して高電位側電圧ＶＣＯＭＨを対向電極ＶＣＯＭに供給すると共に階調データに基づいてデータ線を駆動する。【選択図】図１１
2007101570.tif 000002
【特許請求の範囲】
【請求項１】
データ線と、該データ線の電圧が供給される画素電極と、電気光学物質を挟んで該画素電極と対向する対向電極とを含む電気光学装置を駆動するための駆動装置であって、
階調データに基づいて前記データ線を駆動するデータ線駆動回路と、
前記電気光学物質の印加電圧の極性に応じて前記対向電極に高電位側電圧及び低電位側電圧の１つを供給する対向電極電圧供給回路と、
前記対向電極と前記データ線とを電気的に接続するための短絡回路と、
接地電位又は該接地電位より高電位の設定電圧を前記対向電極に供給するための電圧設定回路とを含み、
前記極性を正から負に切り替えるとき、一旦、前記電圧設定回路が前記設定電圧を前記対向電極に供給した後に、前記短絡回路が前記対向電極と前記データ線とを電気的に接続し、
その後、前記短絡回路が前記対向電極と前記データ線とを電気的に遮断して前記対向電極電圧供給回路が前記高電位側電圧を前記対向電極に供給すると共に前記データ線駆動回路が前記階調データに基づいて前記データ線を駆動することを特徴とする駆動装置。
【請求項２】
請求項１において、
前記極性を負から正に切り替えるとき、前記電圧設定回路が前記設定電圧を前記対向電極に供給することなく、前記短絡回路が前記対向電極と前記データ線とを電気的に接続し、
その後、前記短絡回路が前記対向電極と前記データ線とを電気的に遮断して前記対向電極電圧供給回路が前記低電位側電圧を前記対向電極に供給すると共に前記データ線駆動回路が前記階調データに基づいて前記データ線を駆動することを特徴とする駆動装置。
【請求項３】
データ線と、該データ線の電圧が供給される画素電極と、電気光学物質を挟んで該画素電極と対向する対向電極とを含む電気光学装置を駆動するための駆動装置であって、
階調データに基づいて前記データ線を駆動するデータ線駆動回路と、
前記対向電極と前記データ線とを電気的に接続するための短絡回路とを含み、
前記電気光学物質の印加電圧の極性を正から負に切り替えるとき、接地電位又は該接地電位より高電位の設定電圧が前記対向電極に供給され、
その後、前記短絡回路が前記対向電極と前記データ線とを電気的に接続した後、前記短絡回路が前記対向電極と前記データ線とを電気的に遮断し、高電位側電圧及び低電位側電圧のうち前記対向電極に前記高電位側電圧が供給された状態で前記データ線駆動回路が前記階調データに基づいて前記データ線を駆動することを特徴とする駆動装置。
【請求項４】
請求項３において、
前記極性を負から正に切り替えるとき、前記設定電圧が前記対向電極に供給されることなく、前記短絡回路が前記対向電極と前記データ線とを電気的に接続し、
その後、前記短絡回路が前記対向電極と前記データ線とを電気的に遮断し、前記対向電極に低電位側電圧が供給された状態で前記データ線駆動回路が前記階調データに基づいて前記データ線を駆動することを特徴とする駆動装置。
【請求項５】
請求項１乃至４のいずれかにおいて、
前記短絡回路が、
一端が前記対向電極に接続され、他端が短絡電圧線に接続される第１の短絡スイッチ回路と、
一端が前記短絡電圧線に接続され、他端が前記データ線駆動回路の出力に接続される第２の短絡スイッチ回路とを含み、
前記第１及び第２の短絡スイッチ回路が、同一タイミングでオンオフ制御されることを特徴とする駆動装置。
【請求項６】
複数のデータ線と、
複数の走査線と、
前記複数の走査線と前記複数のデータ線とにより特定される複数の画素電極と、
前記複数の画素電極の各画素電極と電気光学物質を挟んで設けられた対向電極と、
前記複数の走査線を走査する走査線駆動回路と、
前記複数のデータ線を駆動するための請求項１乃至５のいずれか記載の駆動装置とを含み、
前記駆動装置の短絡回路が、
前記複数のデータ線の一部又は全部と前記対向電極とを電気的に接続することを特徴とする電気光学装置。
【請求項７】
データ線と、
走査線と、
前記走査線と前記データ線とにより特定される画素電極と、
前記画素電極と電気光学物質を挟んで設けられた対向電極と、
接地電位又は該接地電位より高電位の設定電圧を前記対向電極に供給するための電圧設定回路とを含み、
前記電気光学物質の印加電圧の極性を正から負に切り替えるとき、前記電圧設定回路が前記設定電圧を前記対向電極に供給した後、該対向電極と前記データ線とが電気的に接続され、
その後、前記対向電極と前記データ線とが電気的に遮断され、前記極性に応じて高電位側電圧及び低電位側電圧のうち前記高電位側電圧が前記対向電極に供給されると共に前記データ線が階調データに基づいて駆動されることを特徴とする電気光学装置。
【請求項８】
データ線と、
走査線と、
前記走査線と前記データ線とにより特定される画素電極と、
前記画素電極と電気光学物質を挟んで設けられた対向電極と、
前記対向電極と前記データ線とを電気的に接続するための短絡回路とを含み、
前記電気光学物質の印加電圧の極性を正から負に切り替えるとき、前記短絡回路が、接地電位又は該接地電位より高電位に設定された前記対向電極と前記データ線とを電気的に接続し、
その後、前記短絡回路が前記対向電極と前記データ線とを電気的に遮断して、前記極性に応じて高電位側電圧及び低電位側電圧のうち前記高電位側電圧が前記対向電極に供給されると共に前記データ線が階調データに基づいて駆動されることを特徴とする電気光学装置。
【請求項９】
請求項７又は８において、
前記極性を負から正に切り替えるとき、前記設定電圧が前記対向電極に供給されることなく、前記対向電極と前記データ線とが電気的に接続され、
その後、前記対向電極と前記データ線とが電気的に遮断されて、前記低電位側電圧が前記対向電極に供給されると共に前記データ線が階調データに基づいて駆動されることを特徴とする電気光学装置。
【請求項１０】
請求項６乃至９のいずれか記載の電気光学装置を含むことを特徴とする電子機器。
【請求項１１】
データ線と、該データ線の電圧が供給される画素電極と、電気光学物質を挟んで該画素電極と対向する対向電極とを含む電気光学装置を駆動するための駆動方法であって、
前記電気光学物質の印加電圧の極性を正から負に切り替えるとき、一旦、接地電位又は該接地電位より高電位の設定電圧を前記対向電極に供給した後、前記対向電極と前記データ線とを電気的に接続し、
その後、前記対向電極と前記データ線とを電気的に遮断して、高電位側電圧及び低電位側電圧のうち前記高電位側電圧を前記対向電極に供給すると共に階調データに基づいて前記データ線を駆動することを特徴とする駆動方法。
【請求項１２】
請求項１１において、
前記極性を負から正に切り替えるとき、前記設定電圧を前記対向電極に供給することなく、前記対向電極と前記データ線とを電気的に接続し、
その後、前記対向電極と前記データ線とを電気的に遮断して、前記低電位側電圧を前記対向電極に供給すると共に前記階調データに基づいて前記データ線を駆動することを特徴とする駆動方法。
【発明の詳細な説明】
【技術分野】
【０００１】
本発明は、駆動装置、電気光学装置、電子機器及び駆動方法に関する。
【背景技術】
【０００２】
従来より、携帯電話機等の電子機器に用いられる液晶表示（Liquid Crystal Display：ＬＣＤ）パネル（広義には、表示パネル。更に広義には電気光学装置）として、単純マトリクス方式のＬＣＤパネルと、薄膜トランジスタ（Thin Film Transistor：以下、ＴＦＴと略す）等のスイッチ素子を用いたアクティブマトリクス方式のＬＣＤパネルとが知られている。
【０００３】
単純マトリクス方式は、アクティブマトリクス方式に比べて低消費電力化が容易である反面、多色化や動画表示が困難である。一方、アクティブマトリクス方式は、多色化や動画表示に適している反面、低消費電力化が困難である。
【０００４】
近年、携帯電話機等の携帯型電子機器では、高品質な画像の提供のために、多色化、動画表示への要望が強まっている。このため、これまで用いられてきた単純マトリクス方式のＬＣＤパネルに代えて、アクティブマトリクス方式のＬＣＤパネルが用いられるようになってきている。
【０００５】
単純マトリクス方式のＬＣＤパネルやアクティブマトリクス方式のＬＣＤパネルでは、画素を構成する液晶（広義には電気光学物質）への印加電圧が交流となるように駆動される。このような交流駆動の手法として、ライン反転駆動やフィールド反転駆動（フレーム反転駆動）が知られている。ライン反転駆動では、１又は複数走査ライン毎に、液晶の印加電圧の極性が反転するように駆動される。フィールド反転駆動では、フィールド毎（フレーム毎）に液晶の印加電圧の極性が反転するように駆動される。
【０００６】
その際、画素を構成する画素電極と対向する対向電極（コモン電極）に供給する対向電極電圧（コモン電圧）を、反転駆動タイミングに合わせて変化させることで、画素電極に印加する電圧レベルを低下させることができる。
【０００７】
このような交流駆動を行う場合、液晶の充放電に伴う消費電力の増大を招く。そこで例えば特許文献１には、反転駆動時に、液晶を挟持する２つの電極を短絡することにより液晶に蓄積される電荷を初期化し、電極の短絡前の電圧の中間電圧まで遷移させることで低消費化を図る技術が開示されている。
【特許文献１】特開２００２−２４４６２２号公報
【発明の開示】
【発明が解決しようとする課題】
【０００８】
ところで、液晶の印加電圧の極性に応じて対向電極電圧の高電位側電圧と低電位側電圧とが対向電極に交互に供給される場合、ＴＦＴのゲート・ドレイン間容量による液晶の印加電圧の変化を考慮して、低電位側電圧の電位が接地電位ＶＳＳより低電位となるように設けられる。そのため、特許文献１に開示されるように、単純に画素電極及び対向電極を短絡させてしまうと中間電圧の電位が接地電位ＶＳＳより低電位となる場合がある。
【０００９】
従って、中間電圧が印加されるトランジスタは、いわゆるトリプルウェル構造の素子として半導体基板に形成される必要があり、いわゆるツインウェル構造の素子として半導体基板に形成される場合に比べてレイアウト面積を増大させてしまう。また、中間電圧の電位が接地電位ＶＳＳより低電位になると、一般的な半導体装置に付加される静電保護用のトランジスタに電流が流れて接地電位を変動させ、半導体装置の信頼性を低下させる場合もある。
【００１０】
また、中間電圧の電位が接地電位ＶＳＳより低電位になると、トランジスタの耐圧（ブレーク耐圧、ゲート耐圧）を超える電圧が印加されてしまう場合もある。このため、中間電圧が印加される可能性のあるトランジスタのすべてを、いわゆる高耐圧の製造プロセスで形成する必要が生じ、トランジスタのレイアウト面積の増大、高コスト化を招く。
【００１１】
本発明は、以上のような技術的課題に鑑みてなされたものであり、その目的とするところは、信頼性の低下、レイアウト面積の増大及び高コスト化を防ぎ、低消費電力で交流駆動を実現できる駆動装置、電気光学装置、電子機器及び駆動方法を提供することにある。
【課題を解決するための手段】
【００１２】
上記課題を解決するために本発明は、
データ線と、該データ線の電圧が供給される画素電極と、電気光学物質を挟んで該画素電極と対向する対向電極とを含む電気光学装置を駆動するための駆動装置であって、
階調データに基づいて前記データ線を駆動するデータ線駆動回路と、
前記電気光学物質の印加電圧の極性に応じて前記対向電極に高電位側電圧及び低電位側電圧の１つを供給する対向電極電圧供給回路と、
前記対向電極と前記データ線とを電気的に接続するための短絡回路と、
接地電位又は該接地電位より高電位の設定電圧を前記対向電極に供給するための電圧設定回路とを含み、
前記極性を正から負に切り替えるとき、一旦、前記電圧設定回路が前記設定電圧を前記対向電極に供給した後に、前記短絡回路が前記対向電極と前記データ線とを電気的に接続し、
その後、前記短絡回路が前記対向電極と前記データ線とを電気的に遮断して前記対向電極電圧供給回路が前記高電位側電圧を前記対向電極に供給すると共に前記データ線駆動回路が前記階調データに基づいて前記データ線を駆動する駆動装置に関係する。
【００１３】
本発明において、電気光学物質の印加電圧の極性を正から負に切り替えるとき、まず、対向電極に設定電圧が供給される。この設定電圧は、接地電位又は該接地電位より高電位の電圧である。その後、電気光学装置のデータ線と設定電圧に設定された対向電極とが電気的に接続される。このとき、データ線と対向電極とが同電位となるが、データ線は一般的に接地電位以上の電位を有するため、データ線と対向電極の電位は必ず接地電位以上の電位となる。その後、対向電極に高電位側電圧を供給すると共に、階調データに基づいてデータ線を駆動する。
【００１４】
こうすることで、極性を正から負に切り替えるときに、外部から対向電極とデータ線に電荷を供給することなく、対向電極とデータ線の電位を変化させることができる。そのため、対向電極供給回路及びデータ線駆動回路の低消費電力化を図ることができる。
【００１５】
更に、対向電極とデータ線とが電気的に接続されたときに、その電位を接地電位以上の電位とすることができる。これにより、いわゆるツインウェル構造の素子として形成できるトランジスタ数を増加させることができ、レイアウト面積の縮小化が可能となる。また、一般的な半導体装置に付加される静電保護用のトランジスタに電流が流れて接地電位を変動させる事態が起こりにくくなり、駆動装置の信頼性の低下を防止できる。また、ＴＦＴを含むトランジスタには、その耐圧を超える電圧が印加されることがなくなる。従って、該トランジスタのすべてを、いわゆる高耐圧の製造プロセスで形成する必要がなくなり、トランジスタのレイアウト面積の縮小化、低コスト化を図ることができるようになる。
【００１６】
また本発明に係る駆動装置では、
前記極性を負から正に切り替えるとき、前記電圧設定回路が前記設定電圧を前記対向電極に供給することなく、前記短絡回路が前記対向電極と前記データ線とを電気的に接続し、
その後、前記短絡回路が前記対向電極と前記データ線とを電気的に遮断して前記対向電極電圧供給回路が前記低電位側電圧を前記対向電極に供給すると共に前記データ線駆動回路が前記階調データに基づいて前記データ線を駆動することができる。
【００１７】
本発明によれば、上記の効果に加えて、極性を負から正に切り替えるときに、外部から対向電極とデータ線に電荷を供給することなく、対向電極とデータ線の電位を変化させることができるので、対向電極供給回路及びデータ線駆動回路のより一層の低消費電力化を図ることができる。
【００１８】
また本発明は、
データ線と、該データ線の電圧が供給される画素電極と、電気光学物質を挟んで該画素電極と対向する対向電極とを含む電気光学装置を駆動するための駆動装置であって、
階調データに基づいて前記データ線を駆動するデータ線駆動回路と、
前記対向電極と前記データ線とを電気的に接続するための短絡回路とを含み、
前記電気光学物質の印加電圧の極性を正から負に切り替えるとき、接地電位又は該接地電位より高電位の設定電圧が前記対向電極に供給され、
その後、前記短絡回路が前記対向電極と前記データ線とを電気的に接続した後、前記短絡回路が前記対向電極と前記データ線とを電気的に遮断し、高電位側電圧及び低電位側電圧のうち前記対向電極に前記高電位側電圧が供給された状態で前記データ線駆動回路が前記階調データに基づいて前記データ線を駆動する駆動装置に関係する。
【００１９】
本発明において、電気光学物質の印加電圧の極性を正から負に切り替えるとき、まず、対向電極に設定電圧が供給される。この設定電圧は、接地電位又は該接地電位より高電位の電圧である。その後、電気光学装置のデータ線と設定電圧に設定された対向電極とが電気的に接続される。このとき、データ線と対向電極とが同電位となるが、データ線は一般的に接地電位以上の電位を有するため、データ線と対向電極の電位は必ず接地電位以上の電位となる。その後、対向電極に高電位側電圧を供給すると共に、階調データに基づいてデータ線を駆動する。
【００２０】
こうすることで、極性を正から負に切り替えるときに、外部から対向電極とデータ線に電荷を供給することなく、対向電極とデータ線の電位を変化させることができる。そのため、データ線駆動回路の低消費電力化を図ることができる。
【００２１】
更に、対向電極とデータ線とが電気的に接続されたときに、その電位を接地電位以上の電位とすることができる。これにより、いわゆるツインウェル構造の素子として形成できるトランジスタ数を増加させることができ、レイアウト面積の縮小化が可能となる。また、一般的な半導体装置に付加される静電保護用のトランジスタに電流が流れて接地電位を変動させる事態が起こりにくくなり、駆動装置の信頼性の低下を防止できる。また、ＴＦＴを含むトランジスタには、その耐圧を超える電圧が印加されることがなくなる。従って、該トランジスタのすべてを、いわゆる高耐圧の製造プロセスで形成する必要がなくなり、トランジスタのレイアウト面積の縮小化、低コスト化を図ることができるようになる。
【００２２】
また本発明に係る駆動装置では、
前記極性を負から正に切り替えるとき、前記設定電圧が前記対向電極に供給されることなく、前記短絡回路が前記対向電極と前記データ線とを電気的に接続し、
その後、前記短絡回路が前記対向電極と前記データ線とを電気的に遮断し、前記対向電極に低電位側電圧が供給された状態で前記データ線駆動回路が前記階調データに基づいて前記データ線を駆動することができる。
【００２３】
本発明によれば、上記の効果に加えて、極性を負から正に切り替えるときに、外部から対向電極とデータ線に電荷を供給することなく、対向電極とデータ線の電位を変化させることができるので、データ線駆動回路のより一層の低消費電力化を図ることができる。
【００２４】
また本発明に係る駆動装置では、
前記短絡回路が、
一端が前記対向電極に接続され、他端が短絡電圧線に接続される第１の短絡スイッチ回路と、
一端が前記短絡電圧線に接続され、他端が前記データ線駆動回路の出力に接続される第２の短絡スイッチ回路とを含み、
前記第１及び第２の短絡スイッチ回路が、同一タイミングでオンオフ制御されてもよい。
【００２５】
本発明によれば、第１及び第２の短絡スイッチ回路を設け、第１の短絡スイッチ回路により対向電極の負荷と短絡電圧線との負荷とを分離できるようにしたので、通常駆動時において対向電極の負荷を軽減でき、対向電極の電圧が所望のレベルに達しないことに起因する画質の劣化を防止できる。
【００２６】
また本発明は、
複数のデータ線と、
複数の走査線と、
前記複数の走査線と前記複数のデータ線とにより特定される複数の画素電極と、
前記複数の画素電極の各画素電極と電気光学物質を挟んで設けられた対向電極と、
前記複数の走査線を走査する走査線駆動回路と、
前記複数のデータ線を駆動するための上記のいずれか記載の駆動装置とを含み、
前記駆動装置の短絡回路が、
前記複数のデータ線の一部又は全部と前記対向電極とを電気的に接続する電気光学装置に関係する。
【００２７】
また本発明は、
データ線と、
走査線と、
前記走査線と前記データ線とにより特定される画素電極と、
前記画素電極と電気光学物質を挟んで設けられた対向電極と、
接地電位又は該接地電位より高電位の設定電圧を前記対向電極に供給するための電圧設定回路とを含み、
前記電気光学物質の印加電圧の極性を正から負に切り替えるとき、前記電圧設定回路が前記設定電圧を前記対向電極に供給した後、該対向電極と前記データ線とが電気的に接続され、
その後、前記対向電極と前記データ線とが電気的に遮断され、前記極性に応じて高電位側電圧及び低電位側電圧のうち前記高電位側電圧が前記対向電極に供給されると共に前記データ線が階調データに基づいて駆動される電気光学装置に関係する。
【００２８】
また本発明は、
データ線と、
走査線と、
前記走査線と前記データ線とにより特定される画素電極と、
前記画素電極と電気光学物質を挟んで設けられた対向電極と、
前記対向電極と前記データ線とを電気的に接続するための短絡回路とを含み、
前記電気光学物質の印加電圧の極性を正から負に切り替えるとき、前記短絡回路が、接地電位又は該接地電位より高電位に設定された前記対向電極と前記データ線とを電気的に接続し、
その後、前記短絡回路が前記対向電極と前記データ線とを電気的に遮断して、前記極性に応じて高電位側電圧及び低電位側電圧のうち前記高電位側電圧が前記対向電極に供給されると共に前記データ線が階調データに基づいて駆動される電気光学装置に関係する。
【００２９】
また本発明に係る電気光学装置では、
前記極性を負から正に切り替えるとき、前記設定電圧が前記対向電極に供給されることなく、前記対向電極と前記データ線とが電気的に接続され、
その後、前記対向電極と前記データ線とが電気的に遮断されて、前記低電位側電圧が前記対向電極に供給されると共に前記データ線が階調データに基づいて駆動されてもよい。
【００３０】
上記のいずれかの発明によれば、信頼性の低下、レイアウト面積の増大及び高コスト化を防ぎ、低消費電力で交流駆動を実現できる駆動装置を含む電気光学装置を提供できる。
【００３１】
また本発明は、
上記のいずれか記載の電気光学装置を含む電子機器に関係する。
【００３２】
本発明によれば、信頼性の低下、レイアウト面積の増大及び高コスト化を防ぎ、低消費電力で交流駆動を実現できる駆動装置が適用された電気光学装置を含む電子機器を提供できる。
【００３３】
また本発明は、
データ線と、該データ線の電圧が供給される画素電極と、電気光学物質を挟んで該画素電極と対向する対向電極とを含む電気光学装置を駆動するための駆動方法であって、
前記電気光学物質の印加電圧の極性を正から負に切り替えるとき、一旦、接地電位又は該接地電位より高電位の設定電圧を前記対向電極に供給した後、前記対向電極と前記データ線とを電気的に接続し、
その後、前記対向電極と前記データ線とを電気的に遮断して、高電位側電圧及び低電位側電圧のうち前記高電位側電圧を前記対向電極に供給すると共に階調データに基づいて前記データ線を駆動する駆動方法に関係する。
【００３４】
また本発明に係る駆動方法では、
前記極性を負から正に切り替えるとき、前記設定電圧を前記対向電極に供給することなく、前記対向電極と前記データ線とを電気的に接続し、
その後、前記対向電極と前記データ線とを電気的に遮断して、前記低電位側電圧を前記対向電極に供給すると共に前記階調データに基づいて前記データ線を駆動することができる。
【発明を実施するための最良の形態】
【００３５】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の必須構成要件であるとは限らない。
【００３６】
１．  液晶表示装置
図１に、本実施形態の液晶表示装置の構成例のブロック図を示す。
【００３７】
液晶表示装置（広義には表示装置）５１０は、表示パネル（狭義にはＬＣＤ（Liquid Crystal Display）パネル、広義には電気光学装置）５１２、データ線駆動回路（狭義にはソースドライバ、広義には液晶駆動装置、駆動装置）５２０、走査線駆動回路（狭義にはゲートドライバ）５３０、コントローラ５４０、電源回路５４２を含む。なお、液晶表示装置５１０にこれらのすべての回路ブロックを含める必要はなく、その一部の回路ブロックを省略する構成にしてもよい。
【００３８】
ここで表示パネル５１２（広義には電気光学装置）は、複数の走査線（狭義にはゲート線）と、複数のデータ線（狭義にはソース線）と、走査線及びデータ線により特定される画素電極を含む。この場合、データ線に薄膜トランジスタ（Thin Film Transistor：ＴＦＴ、広義にはスイッチング素子）を接続し、このＴＦＴに画素電極を接続することで、アクティブマトリクス型の液晶表示装置を構成できる。
【００３９】
より具体的には、表示パネル５１２はアクティブマトリクス基板（例えばガラス基板）に形成される。このアクティブマトリクス基板には、図１のＹ方向に複数配列されそれぞれＸ方向に伸びる走査線Ｇ１〜ＧＭ（Ｍは２以上の自然数）と、Ｘ方向に複数配列されそれぞれＹ方向に伸びるデータ線Ｓ１〜ＳＮ（Ｎは２以上の自然数）とが配置されている。また、走査線ＧＫ（１≦Ｋ≦Ｍ、Ｋは自然数）とデータ線ＳＬ（１≦Ｌ≦Ｎ、Ｌは自然数）との交差点に対応する位置に、薄膜トランジスタＴＦＴＫＬ（広義にはスイッチング素子）が設けられている。
【００４０】
ＴＦＴＫＬのゲート電極は走査線ＧＫに接続され、ＴＦＴＫＬのソース電極はデータ線ＳＬに接続され、ＴＦＴＫＬのドレイン電極は画素電極ＰＥＫＬに接続されている。この画素電極ＰＥＫＬと、画素電極ＰＥＫＬと液晶素子（広義には電気光学物質）を挟んで対向する対向電極ＶＣＯＭ（コモン電極）との間には、液晶容量ＣＬＫＬ（液晶素子）及び補助容量ＣＳＫＬが形成されている。そして、ＴＦＴＫＬ、画素電極ＰＥＫＬ等が形成されるアクティブマトリクス基板と、対向電極ＶＣＯＭが形成される対向基板との間に液晶が封入され、画素電極ＰＥＫＬと対向電極ＶＣＯＭの間の印加電圧に応じて画素の透過率が変化するようになっている。
【００４１】
なお、電源回路５４２は、対向電極ＶＣＯＭに与えられる対向電極電圧を生成し、対向電極ＶＣＯＭに対向電極電圧を供給する対向電極電圧供給回路を含む。対向電極電圧供給回路は、対向電極電圧の高電位側電圧ＶＣＯＭＨ、低電位側電圧ＶＣＯＭＬを生成することができる。なお、対向電極ＶＣＯＭを対向基板上にベタに形成せずに、各走査線に対応するように帯状に形成してもよい。
【００４２】
データ線駆動回路５２０は、階調データに基づいて表示パネル５１２のデータ線Ｓ１〜ＳＮを駆動する。一方、走査線駆動回路５３０は、表示パネル５１２の走査線Ｇ１〜ＧＭを順次走査駆動する。
【００４３】
コントローラ５４０は、図示しない中央演算処理装置（Central Processing Unit：以下、ＣＰＵと略す）等のホストにより設定された内容に従って、データ線駆動回路５２０、走査線駆動回路５３０及び電源回路５４２を制御する。
【００４４】
より具体的には、コントローラ５４０は、データ線駆動回路５２０及び走査線駆動回路５３０に対しては、例えば動作モードの設定や内部で生成した垂直同期信号や水平同期信号の供給を行い、電源回路５４２に対しては、対向電極ＶＣＯＭの電圧の極性反転タイミングの制御を行う。
【００４５】
電源回路５４２は、外部から供給される基準電圧に基づいて、表示パネル５１２の駆動に必要な各種の電圧（階調電圧）や、対向電極ＶＣＯＭの電圧を生成する。
【００４６】
なお、図１では、液晶表示装置５１０がコントローラ５４０を含む構成になっているが、コントローラ５４０を液晶表示装置５１０の外部に設けてもよい。或いは、コントローラ５４０と共にホストを液晶表示装置５１０に含めるようにしてもよい。また、データ線駆動回路５２０、走査線駆動回路５３０、コントローラ５４０、電源回路５４２の一部又は全部を表示パネル５１２上に形成してもよい。
【００４７】
図２に、本実施形態における液晶表示装置の他の構成例のブロック図を示す。
【００４８】
図２では、表示パネル５１２上（パネル基板上）に、データ線駆動回路５２０、走査線駆動回路５３０及び電源回路５４２が形成されている。このように表示パネル５１２は、複数のデータ線と、複数の走査線と、複数の走査線の各走査線及び複数のデータ線の各データ線とに接続された複数のスイッチ素子と、複数のデータ線を駆動するデータ線駆動回路と、複数の走査線を走査する走査線駆動回路とを含むように構成することができる。表示パネル５１２の画素形成領域５４４に、複数の画素が形成されている。
【００４９】
なお図２では、表示パネル５１２上に走査線駆動回路が省略された構成であってもよい。また図２では、コントローラ５４０が表示パネル５１２上に形成されていないが、コントローラ５４０を表示パネル５１２上に形成してもよい。
【００５０】
１．１  データ線駆動回路
図３に、図１のデータ線駆動回路５２０の構成例を示す。
【００５１】
データ線駆動回路５２０は、シフトレジスタ５２２、ラインラッチ５２４、５２６、ＤＡＣ５２８（デジタル・アナログ変換回路。広義にはデータ電圧生成回路）、出力バッファ５２９を含む。
【００５２】
シフトレジスタ５２２は、各データ線に対応して設けられ、順次接続された複数のフリップフロップを含む。このシフトレジスタ５２２は、クロック信号ＣＬＫに同期してイネーブル入出力信号ＥＩＯを保持すると、順次クロック信号ＣＬＫに同期して隣接するフリップフロップにイネーブル入出力信号ＥＩＯをシフトする。
【００５３】
ラインラッチ５２４には、コントローラ５４０から例えば１８ビット（６ビット（階調データ）×３（ＲＧＢ各色））単位で階調データ（ＤＩＯ）が入力される。ラインラッチ５２４は、この階調データ（ＤＩＯ）を、シフトレジスタ５２２の各フリップフロップで順次シフトされたイネーブル入出力信号ＥＩＯに同期してラッチする。
【００５４】
ラインラッチ５２６は、コントローラ５４０から供給される水平同期信号ＬＰに同期して、ラインラッチ５２４でラッチされた１水平走査単位の階調データをラッチする。
【００５５】
ＤＡＣ５２８は、各データ線に供給すべきアナログのデータ電圧を生成する。具体的にはＤＡＣ５２８は、ラインラッチ５２６からのデジタルの階調データに基づいて、図１の電源回路５４２からの階調電圧のいずれかを選択し、デジタルの階調データに対応するアナログのデータ電圧を出力する。
【００５６】
出力バッファ５２９は、ＤＡＣ５２８からのデータ電圧をバッファリングしてデータ線に出力し、データ線を駆動する。具体的には、出力バッファ５２９は、各データ線毎に設けられたボルテージフォロワ接続の演算増幅回路ＯＰＣ１〜ＯＰＣＮを含み、これらの各演算増幅回路ＯＰＣ１〜ＯＰＣＮが、ＤＡＣ５２８からのデータ電圧をインピーダンス変換して、各データ線に出力する。
【００５７】
なお、図３では、デジタルの階調データをデジタル・アナログ変換して、出力バッファ５２９を介してデータ線に出力する構成にしているが、アナログの映像信号をサンプル・ホールドして、出力バッファ５２９を介してデータ線に出力する構成にしてもよい。
【００５８】
１．２  走査線駆動回路
図４に、図１の走査線駆動回路５３０の構成例を示す。
【００５９】
走査線駆動回路５３０は、シフトレジスタ５３２、レベルシフタ５３４、出力バッファ５３６を含む。
【００６０】
シフトレジスタ５３２は、各走査線に対応して設けられ、順次接続された複数のフリップフロップを含む。このシフトレジスタ５３２は、クロック信号ＣＬＫに同期してイネーブル入出力信号ＥＩＯをフリップフロップに保持すると、順次クロック信号ＣＬＫに同期して隣接するフリップフロップにイネーブル入出力信号ＥＩＯをシフトする。ここで入力されるイネーブル入出力信号ＥＩＯは、コントローラ５４０から供給される垂直同期信号である。
【００６１】
レベルシフタ５３４は、シフトレジスタ５３２からの電圧のレベルを、表示パネル５１２の液晶素子とＴＦＴのトランジスタ能力とに応じた電圧のレベルにシフトする。この電圧レベルとしては、例えば２０Ｖ〜５０Ｖの高い電圧レベルが必要になる。
【００６２】
出力バッファ５３６は、レベルシフタ５３４によってシフトされた走査電圧をバッファリングして走査線に出力し、走査線を駆動する。
【００６３】
１．３  極性反転駆動
ところで、液晶素子には、直流電圧を長時間印加すると劣化するという性質がある。このため、液晶素子に印加する電圧の極性を所定期間毎に反転させる交流駆動が必要になる。
【００６４】
図５に、交流駆動の説明図を示す。
【００６５】
図５に示すように、交流駆動には、例えばフレーム反転駆動、走査（ゲート）ライン反転駆動、データ（ソース）ライン反転駆動、ドット反転駆動等がある。
【００６６】
ここで、走査ライン反転駆動では、液晶素子に印加される電圧が走査期間毎（１又は複数の走査線毎）に極性反転される。例えば、第Ｋの走査期間（第Ｋの走査線の選択期間）では正極性の電圧が液晶素子に印加され、第（Ｋ＋１）の走査期間では負極性の電圧が印加され、第（Ｋ＋２）の走査期間では正極性の電圧が印加される。一方、次のフレームにおいては、今度は、第Ｋの走査期間では負極性の電圧が液晶素子に印加され、第（Ｋ＋１）の走査期間では正極性の電圧が印加され、第（Ｋ＋２）の走査期間では負極性の電圧が印加されるようになる。
【００６７】
そして、この走査ライン反転駆動では、対向電極ＶＣＯＭの電圧が走査期間毎に極性反転される。
【００６８】
図６に、走査ライン反転駆動の説明図を示す。
【００６９】
走査ライン反転駆動では、正極の期間Ｔ１では対向電極ＶＣＯＭの電圧は低電位側電圧ＶＣＯＭＬになり、負極の期間Ｔ２では高電位側電圧ＶＣＯＭＨになる。
【００７０】
ここで、正極の期間Ｔ１は、データ線Ｓ（画素電極）の電圧が対向電極ＶＣＯＭの電圧よりも高くなる期間である。この期間Ｔ１では液晶素子に正極性の電圧が印加されることになる。一方、負極の期間Ｔ２は、データ線Ｓの電圧が対向電極ＶＣＯＭの電圧よりも低くなる期間である。この期間Ｔ２では液晶素子に負極性の電圧が印加されることになる。また、低電位側電圧ＶＣＯＭＬは、所与の電圧を基準として高電位側電圧ＶＣＯＭＨを極性反転した電圧である。
【００７１】
このように対向電極ＶＣＯＭの電圧を高電位側電圧ＶＣＯＭＨ、低電位側電圧ＶＣＯＭＬを切り替えることで、表示パネルの駆動に必要な電圧を低くすることができる。これにより、データ線駆動回路及び走査線駆動回路の耐圧を低くでき、データ線駆動回路及び走査線駆動回路の製造プロセスの簡素化、低コスト化を図ることができる。
【００７２】
ところで対向電極ＶＣＯＭの低電位側電圧ＶＣＯＭＬは、接地電位ＶＳＳに対して予め負方向にオフセット電位を有し、低電位側電圧ＶＣＯＭＬの電位は、接地電位ＶＳＳより低電位である。
【００７３】
図７に、ＴＦＴＫＬを含む画素に印加される電圧の波形の一例を示す。なお図７では、正極の期間Ｔ１、負極の期間Ｔ２において、液晶に同じ電圧が印加されるものとする。
【００７４】
図７では、正極の期間Ｔ１、負極の期間Ｔ２において、走査線ＧＫの選択パルスが印加されることで、ＴＦＴＫＬに接続されたデータ線ＳＬの電圧が画素電極ＰＥＫＬに供給される。データ線ＳＬには、例えば０Ｖ〜５Ｖの間の電圧で、階調データに対応した電圧が印加される。
【００７５】
このとき、正極の期間Ｔ１には、対向電極ＶＣＯＭに−２Ｖの低電位側電圧ＶＣＯＭＬが印加され、負極の期間Ｔ２には、対向電極ＶＣＯＭに４Ｖの高電位側電圧ＶＣＯＭＨが印加される。即ち、低電位側電圧ＶＣＯＭＬは、接地電位ＶＳＳに対して予め負方向にオフセット電位を有している。
【００７６】
このオフセット電位は、画素を構成するＴＦＴＫＬの走査線ＧＫの走査電圧が降下したときに、ＴＦＴＫＬの寄生容量による容量結合によってＴＦＴＫＬのドレイン電圧も降下することを考慮した電位である。
【００７７】
図８に、ＴＦＴＫＬの寄生容量の説明図を示す。
【００７８】
ＴＦＴＫＬのソース・ドレイン間、ゲート・ドレイン間、ゲート・ソース間には、それぞれ寄生容量ＣＳＤ、ＣＧＤ、ＣＧＳが存在する。ここで、ＴＦＴＫＬのゲートには、例えば１５Ｖと−１０Ｖとの間を振幅とする走査電圧が供給される。このＴＦＴＫＬを、例えば１５Ｖの電位を有する走査電圧が供給されると、ＴＦＴＫＬがオンし、データ線ＳＬに印加されている最大５Ｖの電圧が、画素電極ＰＥＫＬに供給される。
【００７９】
その後、ＴＦＴＫＬの走査電圧が−１０Ｖの電位となると、ＴＦＴＫＬがオフとなる。そして、上記の寄生容量による容量結合によって、振幅の非常に大きなゲート電圧に引っ張られて、画素電極ＰＥＫＬの電圧も降下してしまう。
【００８０】
そのため、容量結合による電圧降下分を例えば１．５Ｖとすると、正極の期間Ｔ１において走査線ＧＫの走査電圧が降下すると、ＴＦＴＫＬの寄生容量の容量結合によりデータ線ＳＬの電圧が３．５Ｖ（＝５Ｖ−１．５Ｖ）になる。従って、正極の期間Ｔ１には、電圧Ｖｐとして５．５Ｖ（＝３．５Ｖ−（−１．５Ｖ））が液晶に印加されることになる。
【００８１】
一方、負極の期間Ｔ２において走査線ＧＫの走査電圧が降下すると、ＴＦＴＫＬの寄生容量の容量結合によりデータ線ＳＬの電圧が−１．５Ｖ（＝０Ｖ−１．５Ｖ）になる。従って、負極の期間Ｔ２には、電圧Ｖｍとして５．５Ｖ（＝４Ｖ−（−１．５Ｖ））が液晶に印加されることになる。従って、正極の期間Ｔ１、負極の期間Ｔ２において、液晶に同じ電圧が印加される。
【００８２】
以上のように、対向電極ＶＣＯＭの低電位側電圧ＶＣＯＭＬに、予め負方向にオフセット電位を設けることで、電圧レベルを高くすることなく液晶に印加される実効電圧を揃えることができる。
【００８３】
１．４  電荷の再利用
しかしながら、上述のような極性反転駆動においては、液晶の蓄積電荷の充放電に伴い、消費電力の増大を招く。そこで、以下の方法により液晶の蓄積電荷を再利用することで、電源回路が供給すべき電荷量を削減し、消費電力の削減を図ることができる。
【００８４】
図９（Ａ）に、通常駆動の模式的な説明図を示す。図９（Ｂ）に、電荷の再利用の模式的な説明図を示す。図９（Ａ）、図９（Ｂ）において、図１又は図２と同一部分には同一符号を付し、適宜説明を省略する。
【００８５】
図９（Ａ）、図９（Ｂ）において、データ線駆動回路５２０は、階調データに対応した階調電圧に基づいて各データ線を駆動することができる。また、電源回路５４２に内蔵される対向電極電圧供給回路５６０の出力は、対向電極ＶＣＯＭとの間を電気的に接続されたり、電気的に遮断されたりする。そしてデータ線駆動回路５２０は、階調データに基づいて各データ線を駆動したり、その代わりに対向電極電圧供給回路５６０によって生成された対向電極電圧を各データ線に供給したりできるようになっている。
【００８６】
通常駆動時には、図９（Ａ）に示すように、対向電極電圧供給回路５６０が対向電極ＶＣＯＭに対向電極電圧（高電位側電圧ＶＣＯＭＨ又は低電位側電圧ＶＣＯＭＬ）を供給する。そして、データ線駆動回路５２０は、表示パネル５１２のデータ線Ｓ１〜ＳＮを階調データに基づいて駆動する。
【００８７】
一方、電荷の再利用時には、図９（Ｂ）に示すように、対向電極電圧供給回路５６０の出力と対向電極ＶＣＯＭとを電気的に遮断すると共に、データ線駆動回路５２０が、各データ線と対向電極ＶＣＯＭとを電気的に接続する。こうすることで、各データ線の電圧が、対向電極ＶＣＯＭの電圧と等しくなり、データ線駆動回路５２０が電荷を供給することなくデータ線の電位を変化させることができるようになる。そのため、データ線駆動回路５２０の低消費電力化を図ることができる。また、対向電極電圧供給回路５６０もまた、電荷を供給することなく、極性反転駆動に必要となる対向電極ＶＣＯＭの電位を変化させることができ、対向電極電圧供給回路５６０の低消費電力化を図ることができる。
【００８８】
図１０に、電荷の再利用時の波形例を示す。
【００８９】
正極の期間では対向電極ＶＣＯＭには低電位側電圧ＶＣＯＭＬが供給され、負極の期間では対向電極ＶＣＯＭには高電位側電圧ＶＣＯＭＨが供給される。そして、正極の期間と負極の期間とにおいて、データ線の電圧もまた極性に応じて切り替えられる。このとき、図９（Ａ）に示すように通常駆動時の動作が行われる。
【００９０】
正極の期間から負極の期間に切り替えられると、まず電荷再利用期間が開始される。電荷再利用期間は、所与の電荷再利用期間指定信号によって指定される。電荷再利用期間では、図９（Ｂ）に示すように電荷の再利用が行われる。即ち、対向電極ＶＣＯＭとデータ線が電気的に接続され、対向電極ＶＣＯＭの電圧とデータ線の電圧とが等しくなる。
【００９１】
その後、電荷再利用期間が終了すると、対向電極ＶＣＯＭとデータ線とが電気的に遮断され、図９（Ａ）に示すように通常駆動時の動作が行われる。
【００９２】
そして、負極の期間から正極の期間に切り替えられると、電荷再利用期間が同様に開始される。この電荷再利用期間もまた、所与の電荷再利用期間指定信号によって指定される。電荷再利用期間では、図９（Ｂ）に示すように電荷の再利用が行われる。即ち、対向電極ＶＣＯＭとデータ線が電気的に接続され、対向電極ＶＣＯＭの電圧とデータ線の電圧とが等しくなる。
【００９３】
その後、電荷再利用期間が終了すると、対向電極ＶＣＯＭとデータ線とが電気的に遮断され、図９（Ａ）に示すように通常駆動時の動作が行われる。
【００９４】
ここで、ノーマリホワイトの表示パネル５１２において、いわゆる黒表示を行う場合を考える。この場合、正極の期間におけるデータ線の電位が高いため、対向電極ＶＣＯＭの低電位側電圧ＶＣＯＭＬがオフセット電位を有していたとしても、電荷再利用期間では、対向電極ＶＣＯＭとデータ線の電圧が接地電位ＶＳＳより高い電位となる。
【００９５】
これに対して、ノーマリホワイトの表示パネル５１２において、いわゆる白表示を行う場合、正極の期間におけるデータ線の電位が低く、電荷再利用期間では、対向電極ＶＣＯＭとデータ線の電圧が接地電位ＶＳＳより低い電位となる場合がある。
【００９６】
データ線に接地電位ＶＳＳより低電位の電圧が印加された場合、該データ線に接続されるＴＦＴを含むトランジスタは、いわゆるトリプルウェル構造の素子として形成される必要が生じ、レイアウト面積を増大させてしまう。また、データ線を駆動するデータ線駆動回路に設けられた静電保護用のトランジスタに電流が流れて接地電位を変動させ、データ線駆動回路の信頼性を低下させる場合もある。
【００９７】
また、データ線に接地電位ＶＳＳより低電位の電圧が印加されると、ＴＦＴを含むトランジスタの耐圧（ブレーク耐圧、ゲート耐圧）を超える電圧が印加されるため、該トランジスタのすべてを、いわゆる高耐圧の製造プロセスで形成する必要が生じ、トランジスタのレイアウト面積の増大、高コスト化を招く。
【００９８】
一方、負極の期間から正極の期間に切り替わるときには、対向電極ＶＣＯＭには高電位側電圧ＶＣＯＭＨが印加されているため、同じ電荷再利用期間であっても、対向電極ＶＣＯＭ及びデータ線に接地電位ＶＳＳより低電位の電圧が印加されることがない。
【００９９】
そこで本実施形態では、正極の期間から負極の期間に切り替わるときに、電荷再利用期間において対向電極ＶＣＯＭ及びデータ線に接地電位ＶＳＳより低電位の電圧が印加されないようにすることで、信頼性の向上、レイアウト面積の増大の防止、低コスト化を図ることができる。
【０１００】
２．  駆動装置
図１１に、本実施形態のデータ線駆動回路、対向電極電圧供給回路の構成の要部を示す。図１１において、図１又は図２と同一部分には同一符号を付し、適宜説明を省略する。
【０１０１】
本実施形態における駆動装置６００は、電気光学装置としての表示パネル５１２を駆動することができる。駆動装置６００は、データ線駆動回路５２０、電源回路５４２を含む。表示パネル５１２は、データ線と、該データ線の電圧が供給される画素電極と、電気光学物質を挟んで該画素電極と対向する対向電極とを含むことができる。
【０１０２】
電源回路５４２は、対向電極電圧供給回路５６０を含む。対向電極電圧供給回路５６０は、高電位側電圧ＶＣＯＭＨ及び低電位側電圧ＶＣＯＭＬを生成し、液晶（広義には電気光学物質）の印加電圧の極性に応じて高電位側電圧ＶＣＯＭＨ及び低電位側電圧ＶＣＯＭＬの１つを出力する。液晶の印加電圧の極性は、コントローラ５４０からの極性反転信号ＰＯＬによって指定される。データ線駆動回路５２０は、同じ階調データであっても、極性反転信号ＰＯＬにより指定される極性に対応した階調電圧に基づいてデータ線を駆動する。
【０１０３】
また電源回路５４２は、電圧設定回路５６２を含む。電圧設定回路５６２は、設定電圧ＶＳＥＴを対向電極ＶＣＯＭに供給することができる。より具体的には、電圧設定回路５６２は、対向電極電圧供給回路５６０の出力電圧と、設定電圧ＶＳＥＴのいずれかを対向電極電圧として対向電極ＶＣＯＭに供給する。ここで設定電圧ＶＳＥＴは、接地電位ＶＳＳの電圧又は該接地電位ＶＳＳより高電位の電圧とすることができる。このような電圧設定回路５６２の動作は、制御信号ＶＳＣにより制御される。
【０１０４】
データ線駆動回路５２０は、階調データに対応した階調電圧に基づいて各データ線を駆動することができる。またデータ線駆動回路５２０は、短絡回路ＳＨＴ１〜ＳＨＴＮを含む。短絡回路ＳＨＴ１〜ＳＨＴＮは、対向電極ＶＣＯＭとデータ線Ｓ１〜ＳＮとを電気的に接続するための回路である。こうすることで、データ線駆動回路５２０の出力は、対向電極ＶＣＯＭとの間を電気的に接続されたり、電気的に遮断されたりする。そしてデータ線駆動回路５２０は、階調データに基づいて各データ線を駆動する代わりに、対向電極ＶＣＯＭの電圧を各データ線に供給できるようになっている。このような短絡回路ＳＨＴ１〜ＳＨＴＮの動作は、制御信号ＢＳＣにより制御される。
【０１０５】
なお図１１では、短絡回路ＳＨＴ１〜ＳＨＴＮの各短絡回路が、表示パネル５１２のデータ線Ｓ１〜ＳＮの各データ線に対応して設けられているが、表示パネル５１２のデータ線Ｓ１〜ＳＮの少なくとも一部のデータ線に短絡回路が設けられる構成であればよい。
【０１０６】
図１２に、図１１の駆動装置６００の動作例のタイミング図を示す。
【０１０７】
液晶の印加電圧の極性を正から負に切り替えるとき、電荷再利用期間に先立って電圧設定期間が開始される。
【０１０８】
電圧設定期間は、所与の電圧設定期間指定信号によって指定される。電荷再利用期間は、所与の電荷再利用期間指定信号によって指定される。電圧設定期間指定信号及び電荷再利用期間指定信号は、駆動装置６００において生成される。駆動装置６００では、例えばデータ線駆動回路５２０又は電源回路５４２においてカウンタが設けられ、極性反転信号ＰＯＬにより指定される正極の期間から負極の期間への切替タイミングで電圧設定期間が開始され、該カウンタの所定の第１のカウント数を経過後に電圧設定期間が終了するように電圧設定期間指定信号が生成される。また、該電圧設定期間の終了後に電荷再利用期間が開始され、該カウンタの所定の第２のカウント数を経過後に電荷再利用期間が終了するように電荷再利用期間指定信号が生成される。
【０１０９】
電圧設定期間では、電圧設定回路５６２により対向電極ＶＣＯＭに設定電圧ＶＳＥＴが設定される。なお図１２では、設定電圧ＶＳＥＴは接地電位ＶＳＳと同電位の電圧である。そして電圧設定期間に続く電荷再利用期間では、電圧設定回路５６２の出力がハイインピーダンス状態に設定された状態で、短絡回路ＳＨＴ１〜ＳＨＴＮが対向電極ＶＣＯＭとデータ線Ｓ１〜ＳＮとを電気的に接続する。
【０１１０】
電荷再利用期間が終了すると、短絡回路ＳＨＴ１〜ＳＨＴＮが対向電極ＶＣＯＭとデータ線Ｓ１〜ＳＮとを電気的に遮断して、電圧設定回路５６２を介して、対向電極電圧供給回路５６０が高電位側電圧ＶＣＯＭＨを対向電極ＶＣＯＭに供給すると共に、データ線駆動回路５２０が階調データに基づいてデータ線Ｓ１〜ＳＮを駆動する。
【０１１１】
従って、ノーマリホワイトの表示パネル５１２において、いわゆる黒表示を行う場合、対向電極ＶＣＯＭの低電位側電圧ＶＣＯＭＬがオフセット電位を有していたとしても、電荷再利用期間では、対向電極ＶＣＯＭとデータ線の電圧が接地電位ＶＳＳより高い電位となる。この点、図１０と同様である。
【０１１２】
これに対して、ノーマリホワイトの表示パネル５１２において、いわゆる白表示を行う場合、正極の期間におけるデータ線の電位が低いものの、電荷再利用期間では、対向電極ＶＣＯＭが接地電位ＶＳＳと同電位に設定される。そのため、対向電極ＶＣＯＭとデータ線とが電気的に接続されると、両者の電位は接地電位ＶＳＳより高い電位となる。
【０１１３】
次に、液晶の印加電圧の極性を負から正に切り替えるとき、電圧設定期間が設けられることなく、電荷再利用期間が開始される。即ち、液晶の印加電圧の極性を負から正に切り替えるとき、電圧設定回路５６２が設定電圧ＶＳＥＴを対向電極ＶＣＯＭに供給することなく、短絡回路ＳＨＴ１〜ＳＨＴＮが対向電極ＶＣＯＭとデータ線Ｓ１〜ＳＮとを電気的に接続する。
【０１１４】
より具体的には、電荷再利用期間では、電圧設定回路５６２の出力がハイインピーダンス状態に設定された状態で、短絡回路ＳＨＴ１〜ＳＨＴＮが対向電極ＶＣＯＭとデータ線Ｓ１〜ＳＮとを電気的に接続する。
【０１１５】
電荷再利用期間が終了すると、短絡回路ＳＨＴ１〜ＳＨＴＮが対向電極ＶＣＯＭとデータ線Ｓ１〜ＳＮとを電気的に遮断して、電圧設定回路５６２を介して、対向電極電圧供給回路５６０が低電位側電圧ＶＣＯＭＬを対向電極ＶＣＯＭに供給すると共に、データ線駆動回路５２０が階調データに基づいてデータ線Ｓ１〜ＳＮを駆動する。
【０１１６】
従って、ノーマリホワイトの表示パネル５１２において、いわゆる黒表示や白表示を行う場合に、対向電極ＶＣＯＭの低電位側電圧ＶＣＯＭＬがオフセット電位を有していたとしても、電荷再利用期間では、対向電極ＶＣＯＭとデータ線の電圧が接地電位ＶＳＳより高い電位となる。この点、図１０と同様である。
【０１１７】
以上のように本実施形態によれば、電荷再利用期間において、データ線に接地電位ＶＳＳより低電位の電圧が印加されることがない。そのため、低電位側電圧ＶＣＯＭＬが供給されるトランジスタを除いて、データ線に接続されるＴＦＴを含むトランジスタは、いわゆるツインウェル構造の素子として形成でき、レイアウト面積の縮小化が可能となる。従って、静電保護用のトランジスタに電流が流れて接地電位を変動させる事態がなく、データ線駆動回路の信頼性の低下を防止できる。
【０１１８】
また、ＴＦＴを含むトランジスタには、その耐圧を超える電圧が印加されることがなくなる。従って、該トランジスタのすべてを、いわゆる高耐圧の製造プロセスで形成する必要がなくなり、トランジスタのレイアウト面積の縮小化、低コスト化を図ることができるようになる。
【０１１９】
なお図１１において、駆動装置６００は電源回路５４２を含むものとして説明したが、本実施形態はこれに限定されるものではない。例えば駆動装置６００は、データ線駆動回路５２０と、対向電極ＶＣＯＭとデータ線Ｓ１〜ＳＮとを電気的に接続するための短絡回路ＳＨＴ１〜ＳＴＨＮとを含むものであってもよい。この場合、液晶の印加電圧の極性を正から負に切り替えるとき、まず設定電圧ＶＳＥＴが対向電極ＶＣＯＭに供給される。その後、短絡回路ＳＨＴ１〜ＳＨＴＮが対向電極ＶＣＯＭとデータ線Ｓ１〜ＳＮとを電気的に接続した後、短絡回路ＳＨＴ１〜ＳＨＴＮが対向電極ＶＣＯＭとデータ線Ｓ１〜ＳＮとを電気的に遮断する。そして、対向電極ＶＣＯＭに高電位側電圧ＶＣＯＭＨが供給された状態で、データ線駆動回路５２０が階調データに基づいてデータ線Ｓ１〜ＳＮを駆動する。
【０１２０】
また、極性を負から正に切り替えるとき、設定電圧ＶＳＥＴが対向電極ＶＣＯＭに供給されることなく、まず短絡回路ＳＨＴ１〜ＳＨＴＮが対向電極ＶＣＯＭとデータ線Ｓ１〜ＳＮとを電気的に接続する。その後、短絡回路ＳＨＴ１〜ＳＨＴＮが対向電極ＶＣＯＭとデータ線Ｓ１〜ＳＮとを電気的に遮断し、対向電極ＶＣＯＭに低電位側電圧ＶＣＯＭＬが供給された状態でデータ線駆動回路５２０が階調データに基づいてデータ線Ｓ１〜ＳＮを駆動する。
【０１２１】
２．１  駆動装置の構成例
図１３に、図１１の駆動装置の構成例の回路図を示す。図１３において、図１１と同一部分には同一符号を付し、適宜説明を省略する。
【０１２２】
対向電極電圧供給回路５６０は、ＶＣＯＭＨ生成回路５７０、ＶＣＯＭＬ生成回路５７２、Ｐ型（広義には第１導電型）の金属酸化膜半導体（Metal Oxide Semiconductor：ＭＯＳ）トランジスタ（以下、トランジスタと略す）ＰＴｒ１、Ｎ型（広義には第２導電型）のトランジスタＮＴｒ１を含む。ＶＣＯＭＨ生成回路５７０は、高電位側電圧ＶＣＯＭＨを生成する。ＶＣＯＭＬ生成回路５７２は、低電位側電圧ＶＣＯＭＬを生成する。
【０１２３】
トランジスタＰＴｒ１のソースには、高電位側電圧ＶＣＯＭＨが供給される。トランジスタＮＴｒ１のソースには、低電位側電圧ＶＣＯＭＬが供給される。トランジスタＰＴｒ１、ＮＴｒ１のドレインは互いに接続されており、この接続ノードが対向電極ＶＣＯＭと電気的に接続される。トランジスタＰＴｒ１は、制御信号ＶＣＳＥＬＸによりオンオフ制御され、トランジスタＮＴｒ１は、制御信号ＶＣＳＥＬによりオンオフ制御される。ここでトランジスタがオンの状態とは、該トランジスタのソース・ドレイン間が電気的に導通状態に設定される状態をいい、トランジスタがオフの状態とは、該トランジスタのソース・ドレイン間が電気的に非導通状態に設定される状態をいう。制御信号ＶＣＳＥＬＸ、ＶＣＳＥＬは、例えば極性反転信号ＰＯＬ、電圧設定期間指定信号及び電荷再利用期間指定信号に基づいて生成される。
【０１２４】
電圧設定回路５６２は、Ｎ型のトランジスタＶＳＴｒを含む。トランジスタＶＳＴｒのソースには、設定電圧として接地電位ＶＳＳの電圧が供給される。トランジスタＶＳＴｒのドレインは、トランジスタＰＴｒ１、ＮＴｒ１のドレインが接続される。トランジスタＶＳＴｒは、制御信号ＶＳＣによりオンオフ制御される。制御信号ＶＳＣは、例えば極性反転信号ＰＯＬ及び電圧設定期間指定信号に基づいて生成される。
【０１２５】
また電源回路５４２は、転送スイッチＶＳＷ（第１の短絡スイッチ回路）を含むことができる。転送スイッチＶＳＷの一端は、対向電極ＶＣＯＭ（トランジスタＮＴｒ１、ＰＴｒ１のドレイン）に接続され、転送スイッチＶＳＷの他端は、短絡電圧線ＳＰＶに接続される。ここで転送スイッチＶＳＷがオンの状態とは、該転送スイッチＶＳＷの両端が電気的に導通状態に設定される状態をいい、転送スイッチＶＳＷがオフの状態とは、該転送スイッチＶＳＷの両端が電気的に非導通状態に設定される状態をいう。このような転送スイッチＶＳＷは、制御信号ＢＳＣによりオンオフ制御される。
【０１２６】
一方、データ線駆動回路５２０の各演算増幅器の出力には、Ｎ型のトランジスタ（第２の短絡スイッチ回路）が接続されている。即ち、データ線駆動回路５２０は、トランジスタＢＴｒ１〜ＢＴｒＮを含み、各トランジスタは各演算増幅器の出力（広義にはデータ線駆動回路５２０の各出力）に接続される。トランジスタＢＴｒ１のソース（ドレイン）は演算増幅器ＯＰＣ１の出力に接続され、トランジスタＢＴｒ１のドレイン（ソース）は短絡電圧線ＳＰＶに接続される。トランジスタＢＴｒ２のソース（ドレイン）は演算増幅器ＯＰＣ２の出力に接続され、トランジスタＢＴｒ２のドレイン（ソース）は短絡電圧線ＳＰＶに接続される。同様に、トランジスタＢＴｒＮのソース（ドレイン）は演算増幅器ＯＰＣＮの出力に接続され、トランジスタＢＴｒＮのドレイン（ソース）は短絡電圧線ＳＰＶに接続される。トランジスタＢＴｒ１〜ＢＴｒＮは、制御信号ＢＳＣによりオンオフ制御される。即ち、転送スイッチＶＳＷ、トランジスタＢＴｒ１〜ＢＴｒＮは、同一タイミングでオンオフ制御される。このような制御信号ＢＳＣは、例えば極性反転信号ＰＯＬ及び電荷再利用期間指定信号に基づいて生成される。
【０１２７】
なお短絡回路ＳＨＴ１〜ＳＨＴＮの機能は、転送スイッチＶＳＷとトランジスタＢＴｒ１〜ＢＴｒＮとによって実現される。
【０１２８】
本実施形態では、転送スイッチＶＳＷを電源回路５４２側に設け、対向電極ＶＣＯＭと短絡電圧線ＳＰＶとを電気的に遮断できるようにしたので、通常駆動時において対向電極電圧供給回路５６０の負荷を軽減でき、対向電極ＶＣＯＭの電圧が所望のレベルに達しないことに起因する画質の劣化を防止できる。
【０１２９】
図１４に、図１３の駆動装置の制御タイミングの一例を示す。
【０１３０】
トランジスタＰＴｒ１は、制御信号ＶＣＳＥＬＸにより、負極の期間であって電圧設定期間及び電荷再利用期間の終了後の期間にオンするように制御される。トランジスタＮＴｒ１は、制御信号ＶＣＳＥＬにより、正極の期間であって、電荷再利用期間の終了後の期間にオンするように制御される。
【０１３１】
トランジスタＶＳＴｒは、制御信号ＶＳＣにより、負極の期間にのみ設けられる電圧設定期間にオンするように制御される。
【０１３２】
転送スイッチＶＳＷ、トランジスタＢＴｒ１〜ＢＴｒＮは、制御信号ＢＳＣにより、正極の期間及び負極の期間の電荷再利用期間にオンするように制御される。
【０１３３】
以上のように制御することで、正極の期間から負極の期間に切り替わるときに、電荷再利用期間に先立って電圧設定期間を設けることができる。そして電圧設定期間において、対向電極ＶＣＯＭに設定電圧ＶＳＥＴを供給することで、電荷再利用期間では対向電極ＶＣＯＭ及びデータ線に、接地電位ＶＳＳより低電位の電圧が印加される事態を回避できるようになる。
【０１３４】
ところで、本実施形態における駆動装置６００は、図２に示すように、表示パネル５１２が形成されるパネル基板上に設けられてもよい。この場合、表示パネル５１２は、複数のデータ線と、複数の走査線Ｇ１〜ＧＭと、複数の走査線Ｇ１〜ＧＭと複数のデータ線Ｓ１〜ＳＮとにより特定される複数の画素電極と、複数の画素電極の各画素電極と液晶を挟んで設けられた対向電極ＶＣＯＭと、複数の走査線Ｇ１〜ＧＭを走査する走査線駆動回路５３０と、複数のデータ線Ｓ１〜ＳＮを駆動するための駆動装置６００とを含むということができる。この駆動装置６００が、データ線駆動回路５２０の機能と電源回路５４２の少なくとも一部の機能を実現する。そして、駆動装置６００の短絡回路が、複数のデータ線Ｓ１〜ＳＮの一部又は全部と対向電極ＶＣＯＭとを電気的に接続することになる。
【０１３５】
なお図１３では、データ線駆動回路５２０がトランジスタＢＴｒ１〜ＢＴｒＮを含み、電源回路５４２が、トランジスタＶＳＴｒ、転送スイッチＶＳＷを含むものとして説明したが、本実施形態は、これに限定されるものではない。
【０１３６】
図１５に、電気光学装置としての表示パネルの構成例を示す。
【０１３７】
図１５における電気光学装置としての表示パネル７００が形成されるパネル基板上には、図１３のトランジスタＢＴｒ１〜ＢＴｒＮ、トランジスタＶＳＴｒ及び転送スイッチＶＳＷが設けられている。そして、画素形成領域５４４に設けられた対向電極ＶＣＯＭに、対向電極電圧が供給される。
【０１３８】
この場合、表示パネル７００は、複数のデータ線Ｓ１〜ＳＮと、複数の走査線と、複数の画素電極と、対向電極ＶＣＯＭと、トランジスタＢＴｒ１〜ＢＴｒＮと、転送スイッチＶＳＷと、電圧設定回路としてのトランジスタＶＳＴｒとを含むことができる。
【０１３９】
従って、表示パネル７００は、データ線と、走査線と、走査線とデータ線とにより特定される画素電極と、画素電極と液晶を挟んで設けられた対向電極ＶＣＯＭと、対向電極ＶＣＯＭとデータ線とを電気的に接続するためのトランジスタＢＴｒ１〜ＢＴｒＮ及び転送スイッチＶＳＷ（短絡回路）と、接地電位又は該接地電位より高電位の設定電圧を前記対向電極に供給するためのトランジスタＶＳＴｒ（電圧設定回路）とを含むことができる。そして、極性を正から負に切り替えるとき、トランジスタＶＳＴｒが設定電圧を対向電極ＶＣＯＭに供給した後、トランジスタＢＴｒ１〜ＢＴｒＮの少なくとも１つと転送スイッチＶＳＷにより該対向電極ＶＣＯＭとデータ線とが電気的に接続される。その後、トランジスタＢＴｒ１〜ＢＴｒＮの少なくとも１つと転送スイッチＶＳＷとにより、対向電極ＶＣＯＭとデータ線とが電気的に遮断され、極性に応じて高電位側電圧ＶＣＯＭＨ及び低電位側電圧ＶＣＯＭＬのうち高電位側電圧ＶＣＯＭＨが対向電極ＶＣＯＭに供給されると共にデータ線が階調データに基づいて駆動される。
【０１４０】
なお、パネル基板上に、図１３のトランジスタＢＴｒ１〜ＢＴｒＮ、トランジスタＶＳＴｒ及び転送スイッチＶＳＷのうち少なくとも１つが設けられてもよい。
【０１４１】
図１６に、電気光学装置としての表示パネルの他の構成例を示す。
【０１４２】
図１６における電気光学装置としての表示パネル７１０が形成されるパネル基板上には、図１３のトランジスタＶＳＴｒが設けられている。そして、画素形成領域５４４に設けられた対向電極ＶＣＯＭに、対向電極電圧が供給される。トランジスタＢＴｒ１〜ＢＴｒＮは、データ線駆動回路５２０に内蔵されてもよい。また転送スイッチＶＳＷは、データ線駆動回路５２０又は電源回路５４２に内蔵されてもよい。
【０１４３】
図１６における表示パネル７１０は、データ線と、走査線と、走査線とデータ線とにより特定される画素電極と、画素電極と液晶を挟んで設けられた対向電極ＶＣＯＭと、接地電位又は該接地電位より高電位の設定電圧を前記対向電極に供給するためのトランジスタＶＳＴｒ（電圧設定回路）とを含むことができる。そして、極性を正から負に切り替えるとき、トランジスタＶＳＴｒが設定電圧を対向電極ＶＣＯＭに供給した後、該対向電極ＶＣＯＭと前記データ線とが電気的に接続される。その後、対向電極ＶＣＯＭとデータ線とが電気的に遮断され、極性に応じて高電位側電圧ＶＣＯＭＨ及び低電位側電圧ＶＣＯＭＬのうち高電位側電圧ＶＣＯＭＨが対向電極ＶＣＯＭに供給されると共にデータ線が階調データに基づいて駆動される。
【０１４４】
図１７に、電気光学装置としての表示パネルの更に他の構成例を示す。
【０１４５】
図１７における電気光学装置としての表示パネル７２０が形成されるパネル基板上には、図１３のトランジスタＢＴｒ１〜ＢＴｒＮ及び転送スイッチＶＳＷが設けられている。そして、画素形成領域５４４に設けられた対向電極ＶＣＯＭに、対向電極電圧が供給される。トランジスタＶＳＴｒは、電源回路５４２に内蔵されてもよい。
【０１４６】
図１７における表示パネル７２０は、データ線と、走査線と、走査線とデータ線とにより特定される画素電極と、画素電極と液晶を挟んで設けられた対向電極ＶＣＯＭと、対向電極ＶＣＯＭとデータ線とを電気的に接続するためのトランジスタＢＴｒ１〜ＢＴｒＮ及び転送スイッチＶＳＷとを含むことができる。そして、極性を正から負に切り替えるとき、トランジスタＢＴｒ１〜ＢＴｒＮ及び転送スイッチＶＳＷにより、接地電位ＶＳＳ又は該接地電位ＶＳＳより高電位に設定された対向電極ＶＣＯＭとデータ線とを電気的に接続する。その後、トランジスタＢＴｒ１〜ＢＴｒＮ及び転送スイッチＶＳＷにより、対向電極ＶＣＯＭとデータ線とを電気的に遮断して、極性に応じて高電位側電圧ＶＣＯＭＨ及び低電位側電圧ＶＣＯＭＬのうち高電位側電圧ＶＣＯＭＨが対向電極ＶＣＯＭに供給されると共にデータ線が階調データに基づいて駆動される。
【０１４７】
なお図１５〜図１７に示す表示パネルにおいて、極性を負から正に切り替えるときの動作は同様である。
【０１４８】
３．  電子機器
図１８に、本実施形態における電子機器の構成例のブロック図を示す。ここでは、電子機器として、携帯電話機の構成例のブロック図を示す。図１８において、図１又は図２と同一部分には同一符号を付し、適宜説明を省略する。
【０１４９】
携帯電話機９００は、カメラモジュール９１０を含む。カメラモジュール９１０は、ＣＣＤカメラを含み、ＣＣＤカメラで撮像した画像の階調データを、ＹＵＶフォーマットでコントローラ５４０に供給する。
【０１５０】
携帯電話機９００は、表示パネル５１２を含む。表示パネル５１２（広義には電気光学装置）は、データ線駆動回路５２０及び走査線駆動回路５３０によって駆動される。表示パネル５１２は、複数の走査線、複数のデータ線、複数の画素を含む。電源回路５４２は、データ線駆動回路５２０及び走査線駆動回路５３０に接続され、各駆動回路に対して、駆動用の電源電圧を供給する。また表示パネル５１２の対向電極ＶＣＯＭに、対向電極電圧を供給する。本実施形態における駆動装置６００の機能は、例えばデータ線駆動回路５２０及び電源回路５４２によって実現される。
【０１５１】
コントローラ５４０は、データ線駆動回路５２０及び走査線駆動回路５３０に接続され、データ線駆動回路５２０に対してＲＧＢフォーマットの階調データを供給する。
【０１５２】
ホスト９４０は、コントローラ５４０に接続される。ホスト９４０は、コントローラ５４０を制御する。またホスト９４０は、アンテナ９６０を介して受信された階調データを、変復調部９５０で復調した後、コントローラ５４０に供給できる。コントローラ５４０は、この階調データに基づき、データ線駆動回路５２０及び走査線駆動回路５３０により表示パネル５１２に表示させる。
【０１５３】
ホスト９４０は、カメラモジュール９１０で生成された階調データを変復調部９５０で変調した後、アンテナ９６０を介して他の通信装置への送信を指示できる。
【０１５４】
ホスト９４０は、操作入力部９７０からの操作情報に基づいて階調データの送受信処理、カメラモジュール９１０の撮像、表示パネル５１２の表示処理を行う。
【０１５５】
なお、本発明は上述した実施の形態に限定されるものではなく、本発明の要旨の範囲内で種々の変形実施が可能である。例えば、本発明は上述の液晶表示パネルの駆動に適用されるものに限らず、エレクトロクミネッセンス、プラズマディスプレイ装置の駆動に適用可能である。
【０１５６】
また、本発明のうち従属請求項に係る発明においては、従属先の請求項の構成要件の一部を省略する構成とすることもできる。また、本発明の１の独立請求項に係る発明の要部を、他の独立請求項に従属させることもできる。
【図面の簡単な説明】
【０１５７】
【図１】本実施形態の液晶表示装置の構成例のブロック図。
【図２】本実施形態における液晶表示装置の他の構成例のブロック図。
【図３】図１のデータ線駆動回路の構成例を示す図。
【図４】図１の走査線駆動回路の構成例を示す図。
【図５】交流駆動の説明図。
【図６】走査ライン反転駆動の説明図。
【図７】ＴＦＴを含む画素に印加される電圧の波形の一例を示す図。
【図８】ＴＦＴの寄生容量の説明図。
【図９】図９（Ａ）は通常駆動の模式的な説明図。図９（Ｂ）は電荷の再利用の模式的な説明図。
【図１０】電荷の再利用時の波形例を示す図。
【図１１】本実施形態のデータ線駆動回路、対向電極電圧供給回路の構成の要部を示す図。
【図１２】図１１の駆動装置の動作例のタイミング図。
【図１３】図１１の駆動装置の構成例の回路図。
【図１４】図１３の駆動装置の制御タイミングの一例を示す図。
【図１５】電気光学装置としての表示パネルの構成例を示す図。
【図１６】電気光学装置としての表示パネルの他の構成例を示す図。
【図１７】電気光学装置としての表示パネルの更に他の構成例を示す図。
【図１８】本実施形態における電子機器の構成例のブロック図。
【符号の説明】
【０１５８】
５１０  液晶表示装置、  ５１２、７００、７１０、７２０  表示パネル、
５２０  データ線駆動回路、  ５３０  データ線駆動回路、  ５４０  コントローラ、
５４２  電源回路、  ５６０  対向電極電圧供給回路、  ５６２  電圧設定回路、
５７０  ＶＣＯＭＨ生成回路、  ５７２  ＶＣＯＭＬ生成回路、  ６００  駆動装置、
ＢＳＣ、ＶＳＣ  制御信号  Ｇ１〜ＧＭ  走査線、  ＯＰＣ１〜ＯＰＣＮ  演算増幅器、
ＰＥＫＬ  画素電極、  ＰＯＬ  極性反転信号、  Ｓ１〜ＳＮ  データ線、
ＳＨＴ１〜ＳＨＴＮ  短絡回路、  ＳＰＶ  短絡電圧線、  ＴＦＴＫＬ  ＴＦＴ、
ＶＣＯＭ  対向電極、  ＶＳＥＴ  設定電圧、  ＶＳＷ  転送スイッチ
【図１】
2007101570.tif 000003
【図２】
2007101570.tif 000004
【図３】
2007101570.tif 000005
【図４】
2007101570.tif 000006
【図５】
2007101570.tif 000007
【図６】
2007101570.tif 000008
【図７】
2007101570.tif 000009
【図８】
2007101570.tif 000010
【図９】
2007101570.tif 000011
【図１０】
2007101570.tif 000012
【図１１】
2007101570.tif 000013
【図１２】
2007101570.tif 000014
【図１３】
2007101570.tif 000015
【図１４】
2007101570.tif 000016
【図１５】
2007101570.tif 000017
【図１６】
2007101570.tif 000018
【図１７】
2007101570.tif 000019
【図１８】
2007101570.tif 000020